(57)【要約】【課題】部品点数の削減を実現し、以って発光デバイスのコンパクト化、低コスト化を実現可能な２端子ＬＥＤ発光デバイスに関する技術を提供する。【解決手段】一対の端子１０１，１０２を介して駆動電流としての交流電流が供給されるＬＥＤ発光デバイス１０であって、発光波長域が相互に異なる第一及び第二のＬＥＤ素子１０３１,１０３２であって、夫々が一又は複数からなる第一のＬＥＤ素子１０３１と第二のＬＥＤ素子１０３２とを逆極並列に接続して形成される並列ＬＥＤ素子群１０３を、更に複数直列に接続する。【選択図】図１
2012138428.tif 000002
【特許請求の範囲】
【請求項１】
発光波長域が相互に異なる第一及び第二のＬＥＤ素子であって夫々が一又は複数からなる第一及び第二のＬＥＤ素子を逆極並列に接続して形成される並列ＬＥＤ素子群を、更に複数直列に接続してなる、２端子ＬＥＤ発光デバイス。
【請求項２】
前記第一のＬＥＤ素子同士は全て同一極性となるように接続され、且つ前記第二のＬＥＤ素子同士は全て同一極性となるように接続されている、請求項１に記載の２端子ＬＥＤ発光デバイス。
【請求項３】
アノード共有又はカソード共有で直列に接続された二つのツェナーダイオードによる２端子保護素子を、前記並列ＬＥＤ素子群に並列に接続してなる、請求項１又は２に記載の２端子ＬＥＤ発光デバイス。
【請求項４】
前記並列ＬＥＤ素子群の各々に一定電流を供給するための定電流手段を、更に備える、請求項１から３の何れか一項に記載の２端子ＬＥＤ発光デバイス。
【請求項５】
請求項１から４の何れか一項に記載の２端子ＬＥＤ発光デバイスを備えたＬＥＤ照明装置。
【発明の詳細な説明】
【技術分野】
【０００１】
本発明は、２端子ＬＥＤ発光デバイス及びそれを備えたＬＥＤ照明装置に関する。
【背景技術】
【０００２】
近年、白熱電球や蛍光灯に代わる照明機器として、発光ダイオード（ＬＥＤ（Light Emitting Diode）を用いた照明装置が普及しつつある。ここで、交流電源からの交流電流をＬＥＤ発光デバイスに供給してＬＥＤ素子を駆動させるＬＥＤ駆動回路がある。例えば、特許文献１には、交流源に対して極性を逆にして並列接続された二つのＬＥＤ群が開示され、交流の正の半サイクルにおいては、ＬＥＤ群の一方が駆動し、交流の負の半サイクルにおいては、ＬＥＤ群の他方が駆動するように構成されたものがある。
【先行技術文献】
【特許文献】
【０００３】
【特許文献１】特開２００８−２６３２０３号公報
【発明の概要】
【発明が解決しようとする課題】
【０００４】
上記のような交流電源からの交流電流によって駆動するＬＥＤ発光デバイスにおいては、ＬＥＤ素子同士を接続する接続配線の数も多くなりがちであり、その点に関しては改善の余地があると考えられる。本発明は、上記事情に鑑みてなされたものであって、部品点数の削減を実現し、以って発光デバイスのコンパクト化、低コスト化を実現可能な２端子ＬＥＤ発光デバイスに関する技術を提供することを目的とする。
【課題を解決するための手段】
【０００５】
上記課題を解決するため本発明は以下の手段を採用する。すなわち、本発明は、発光波長域が相互に異なる第一及び第二のＬＥＤ素子であって夫々が一又は複数からなる第一及び第二のＬＥＤ素子を逆極並列に接続して形成される並列ＬＥＤ素子群を、更に複数直列に接続してなる、２端子ＬＥＤ発光デバイスである。この、２端子ＬＥＤ発光デバイスの各端子には、駆動電流としての交流電流が供給されても良い。
【０００６】
このように構成される２端子ＬＥＤ発光デバイスでは、例えば、交流による正負の各半サイクルで第一及び第二のＬＥＤ素子に供給される駆動電流の合計値の大きさを調整することで発光デバイス全体として発する白色光の輝度を調整し、また、第一及び第二のＬＥＤ素子に対する駆動電流の供給比率を変更することで、発光デバイス全体として発する白色光の色度（色相、色温度）を調整することが行われる。
【０００７】
上記構成のように、第一及び第二のＬＥＤ素子を互いに逆極並列に接続して並列ＬＥＤ素子群を形成し、複数の並列ＬＥＤ素子群を直列に配置するようにしたので、並列ＬＥＤ素子群の各々を接続する接続用配線を一本とすることができ、部品点数の削減を実現することができる。そして、この部品点数の削減効果は、２端子ＬＥＤ発光デバイスに含まれる並列ＬＥＤ素子群の数が多いほど顕著となり、２端子ＬＥＤ発光デバイスのコンパクト化（小型化）、低コスト化に資することができる。
【０００８】
また、本発明の２端子ＬＥＤ発光デバイスにおいて、前記第一のＬＥＤ素子同士は全て同一極性となるように接続され、且つ前記第二のＬＥＤ素子同士は全て同一極性となるように接続されても良い。このように、全ての第一のＬＥＤ素子を同一極性に接続することで、これらを共通の制御系統で制御することができる。同様に、全ての第二のＬＥＤ素子
を同一極性に接続することで、これらを共通の制御系統で制御することができる。
【０００９】
２端子ＬＥＤ発光デバイスに交流電流が供給される場合、各並列ＬＥＤ素子群における第一及び第二のＬＥＤ素子は、点灯（発光）用の電流が流れない正負の半サイクルに、逆バイアスが掛けられた状態になる。このような逆バイアス状態において、大電圧や大電流が発生すると、逆バイアス状態となっている方のＬＥＤ素子を電流が逆流し、当該ＬＥＤ素子が破損する虞がある。
【００１０】
そこで、本発明に係る２端子ＬＥＤ発光デバイスにおいては、アノード共有又はカソード共有で直列に接続された二つのツェナーダイオードによる２端子保護素子を、前記並列ＬＥＤ素子群に並列に接続しても良い。このような構成によれば、各並列ＬＥＤ素子群に対してツェナーダイオードが並列に接続されているので、正負の半サイクルの夫々において、第一及び第二のＬＥＤ素子に対する逆方向の大電圧・大電流が生じた場合には、ツェナーダイオードのいずれか一方が降伏することで、逆方向の大電流を下流側へ流し、ＬＥＤ素子の破損を防止することができる。
【００１１】
また、本発明においては、前記並列ＬＥＤ素子群の各々に一定電流を供給するための定電流手段を更に備えるようにしても良い。これにより、各並列ＬＥＤ素子群における第一及び第二のＬＥＤ素子に破損や劣化等が起こったり、発光特性が悪化する虞がない。
【００１２】
また、本発明は、上述の何れかのＬＥＤ発光デバイスを調光するための調光装置、及びＬＥＤ発光デバイスと調光装置を備えた照明装置（システム）として捉えることも可能である。また、本明細書において、ＬＥＤには、有機エレクトロルミネッセンス（Organic Electro-Luminescence：有機EL）を含む概念である。
【発明の効果】
【００１３】
本発明によれば、駆動電流としての交流電流が供給される２端子ＬＥＤ発光デバイスにおいて、部品点数の削減を実現し、以って発光デバイスのコンパクト化、低コスト化を実現可能な技術を提供することができる。
【図面の簡単な説明】
【００１４】
【図１】第一実施形態に係るＬＥＤ発光デバイスの第一の回路構成例を示す図である。
【図２】第一実施形態に係るＬＥＤ発光デバイスの第二の回路構成例を示す図である。
【図３】第一実施形態に係るＬＥＤ発光デバイスの第三の回路構成例を示す図である。
【図４】第一実施形態に係るＬＥＤ発光デバイスの第四の回路構成例を示す図である。
【図５】図４における定電流回路の変形例を説明するための図である。
【図６】第二実施形態に係る白色ＬＥＤ調光装置の回路構成例を示す図である。
【図７】（Ａ）は、調光回路に印加される商用電源波形を示し、（Ｂ）は、トリガダイオードに印加される電圧を示す。
【図８】第三実施形態におけるＬＥＤ照明システムの回路構成の概略を示す図である。
【図９】第三実施形態における制御回路の構成例を示す図である。
【図１０】第三実施形態において輝度調整を行う際にＬＥＤ発光デバイスに供給される駆動電流の波形説明図である。
【図１１】第三実施形態において色度調整を行う際にＬＥＤ発光デバイスに供給される駆動電流の波形説明図である。
【発明を実施するための形態】
【００１５】
以下、図面を参照して本発明に係るＬＥＤ発光デバイスの実施形態について説明する。実施形態の構成は例示であり、本発明は実施形態の構成に限定されない。
【００１６】
＜第一実施形態＞
［第一の回路構成例］
図１は、本実施形態に係るＬＥＤ発光デバイス１０の第一の回路構成例を示す図である。本実施形態に係るＬＥＤ発光デバイス１０は、交流電源からの交流電流の供給を受け、駆動することで白色光を発光する２端子ＬＥＤデバイスである。
【００１７】
２端子ＬＥＤ発光デバイス１０は、二つの端子（一対の端子）１０１,１０２と、これ
ら一対の端子１０１,１０２間には、複数の並列ＬＥＤ素子群１０３が直列に接続されて
いる。この並列ＬＥＤ素子群１０３は、発光波長域が相互に異なる一組のＬＥＤ素子、すなわち第一のＬＥＤ素子１０３１と第二のＬＥＤ素子１０３２とが、その極性を逆にして（逆極性で）相互に並列接続することで形成されている。すなわち、２端子ＬＥＤ発光デバイス１０は、発光波長域が相互に異なる第一及び第二のＬＥＤ素子１０３１，１０３２であってそれぞれ一又は複数個からなる第一及び第二のＬＥＤ素子１０３１，１０３２を逆極並列に接続して形成される並列ＬＥＤ素子群１０３を、更に複数直列に接続してなる。ここで、ＬＥＤ素子群１０３を直列に接続する数は特定の数に限定されるものではない。また、図示のように、本実施形態における２端子ＬＥＤ発光デバイス１０は、第一のＬＥＤ素子同士１０３１は全て同一極性となるように接続され、且つ第二のＬＥＤ素子１０３２同士は全て同一極性となるように接続されている。
【００１８】
二つの端子１０１,１０２間には、交流電源から供給される交流電流が、並列ＬＥＤ素
子群１０３に含まれる第一のＬＥＤ素子１０３１と第二のＬＥＤ素子１０３２を発光させるための駆動電流として通電される。各並列ＬＥＤ素子群１０３において、第一のＬＥＤ素子１０３１と第二のＬＥＤ素子１０３２は、逆極性で相互に並列接続されている（すなわち、逆極並列に接続されている）ため、正の電流の通電時（交流の正の半サイクル）には第一のＬＥＤ素子１０３１と第二のＬＥＤ素子１０３２の一方が点灯（発光）し、他方は消灯する。そして、負の電流の通電時（交流の負の半サイクル）には、第一のＬＥＤ素子１０３１と第二のＬＥＤ素子１０３２の一方が消灯し、他方は点灯（発光）する。このように、２端子ＬＥＤ発光デバイス１０は、交流電源からの交流電流で駆動させることができる。
【００１９】
ここで、第一のＬＥＤ素子１０３１と第二のＬＥＤ素子１０３２は、互いに異なるスペクトルの白色光を発する（発光波長域が異なる）ＬＥＤ素子である。例えば、第一のＬＥＤ素子１０３１及び第二のＬＥＤ素子１０３２の夫々は、発光波長が４１０ｎｍで、順方向電流のときの端子電圧は３．５Ｖである。また、第一のＬＥＤ素子１０３１には、発光波長４１０ｎｍの光で刺激（励起）すると約５０００Ｋ（ケルビン）の白色を発光する蛍光体が埋め込まれている。一方、第二のＬＥＤ素子１０３２には、発光波長４１０ｎｍの光で刺激（励起）すると約３０００Ｋ（ケルビン）の白色を発光する蛍光体が埋め込まれている。但し、上記した第一のＬＥＤ素子１０３１及び第二のＬＥＤ素子１０３２における励起波長、発光する白色光の色度（色度は、色相及び色温度等を含む概念であり、以下同様。）、端子電圧等の各値は例示であり、適宜変更なし得る。
【００２０】
このように構成される２端子ＬＥＤ発光デバイス１０では、交流電源による正負の各半サイクルで第一及び第二のＬＥＤ素子１０３１，１０３２に供給される駆動電流の合計値の大きさを増減することで、発光デバイス全体として発する白色光の輝度を調整することができる。また、第一及び第二のＬＥＤ素子１０３１，１０３２に対する駆動電流の供給
比率を変更することで、発光デバイス全体として発する白色光の色度（色相、色温度）を調整することができる。
【００２１】
そして、本実施形態に係る２端子ＬＥＤ発光デバイス１０のように、各並列ＬＥＤ素子群１０３を２端子形とすることで、これらを互いに直列接続する接続用配線が一本で済むという利点がある。つまり、２端子ＬＥＤ発光デバイス１０によれば、良好な発光特性を有し、且つ、２端子ＬＥＤ発光デバイス１０の部品点数を少なくすることができる。これにより、２端子ＬＥＤ発光デバイス１０のコンパクト化（小型化）、低コスト化に有利である。
【００２２】
［第二の回路構成例］
次に、図２は、本実施形態に係る２端子ＬＥＤ発光デバイスの第二の回路構成例を示す図である。ここでは、図１で説明した第一の回路構成例との相違点を中心として説明する。２端子ＬＥＤ発光デバイス１０Ａでは、互いに直接接続されるＬＥＤ素子群１０３Ａの構成が図１で説明した並列ＬＥＤ素子群１０３と相違する点を除き、２端子ＬＥＤ発光デバイス１０と同等である。
【００２３】
並列ＬＥＤ素子群１０３Ａは、第一のＬＥＤ素子１０３１と第二のＬＥＤ素子１０３２をそれぞれ五個ずつ有している。第一のＬＥＤ素子１０３１と第二のＬＥＤ素子１０３２とは、第一の回路構成例と同様に互いに逆極性となるよう並列接続されている（すなわち、逆極並列に接続されている）。図１及び図２に示す構成例から判るように、本発明に係る２端子ＬＥＤ発光デバイスは、各ＬＥＤ素子群には第一のＬＥＤ素子１０３１と第二のＬＥＤ素子１０３２を、それぞれ一又は複数個、含ませることができる。また、一の並列ＬＥＤ素子群１０３Ａに含める第一のＬＥＤ素子１０３１と第二のＬＥＤ素子１０３２の数は適宜変更することができ、また、第一のＬＥＤ素子１０３１と第二のＬＥＤ素子１０３２の数を同数としなくとも良い。
【００２４】
［第三の回路構成例］
次に、図３は、本実施形態に係る２端子ＬＥＤ発光デバイスの第三の回路構成例を示す図である。本構成例に係る２端子ＬＥＤ発光デバイス１０Ｂでは、各ＬＥＤ素子の破損を防ぐための２端子保護回路１０４を有する点を除いて、図１で説明した２端子ＬＥＤ発光デバイス１０の構成と共通である。２端子保護回路１０４は、カソード同士が連結された二つのツェナーダイオード１０４１，１０４２（定電圧ダイオード）からなる直列回路で形成されており、端子１０１、１０２間において、各並列ＬＥＤ素子群１０３に対して並列接続されている。つまり、図示の構成例では、カソード共有で直列に接続された二つのツェナーダイオード１０４１，１０４２からなる２端子保護回路１０４が各並列ＬＥＤ素子群１０３に並列接続されている。但し、連結される二つのツェナーダイオード１０４１，１０４２の向きを逆向き、すなわちアノード同士が連結されても良い。つまり、アノード共有で直列に接続された二つのツェナーダイオードからなる２端子保護回路を各並列ＬＥＤ素子群１０３に並列接続しても良い。以上より、本実施形態に係る２端子保護回路１０４は、極性を相互に逆にして直列に接続された二つのツェナーダイオード１０４１，１０４２を含み、且つ、直列接続された並列ＬＥＤ素子群１０３に対して並列に接続されている。
【００２５】
ここで、端子１０１から端子１０２へ向けて正の電流が流れるときには、各並列ＬＥＤ素子群１０３における第二のＬＥＤ素子１０３２には逆方向バイアスがかかる状態となる。この逆方向バイアスが大電圧であったり、正の電流が大電流である場合には、第二のＬＥＤ素子１０３２を逆流し、第二のＬＥＤ素子１０３２の破損に繋がる可能性がある。一方、端子１０２から端子１０１へ向けて正の電流が流れるときには、同様の観点から各並列ＬＥＤ素子群１０３における第一のＬＥＤ素子１０３１に逆方向バイアスがかかる状態
となるため、第一のＬＥＤ素子１０３１の破損に繋がる可能性がある。
【００２６】
これに対し、図３に示す第三の回路構成例では、例えば端子１０１から端子１０２へ正の大電流が流れる場合において、各並列ＬＥＤ素子群１０３における第二のＬＥＤ素子１０３２が破損する前にツェナーダイオード１０４２が降伏し、電流を端子１０２側へ流す。これによって、各並列ＬＥＤ素子群１０３における第二のＬＥＤ素子１０３２の破損が防止される。また、このような第二のＬＥＤ素子１０３２に対する逆方向過電圧破壊のみならず、端子１０１から端子１０２へ正の大電流が流れることに起因した順方向過電圧破壊から第一のＬＥＤ素子１０３１を保護することも同時に可能となっている。
【００２７】
逆に、端子１０１から端子１０２へ負の大電流が流れる場合（端子１０２から端子１０１へ正の大電流が流れる場合）には、２端子保護回路１０４のツェナーダイオード１０４１が降伏して電流を端子１０１側へ流す。これによって、各並列ＬＥＤ素子群１０３における第一のＬＥＤ素子１０３１の破損が防止される。また、このような第一のＬＥＤ素子１０３１に対する逆方向過電圧破壊のみならず、端子１０２から端子１０１へ正の大電流が流れることに起因した順方向過電圧破壊から第二のＬＥＤ素子１０３２を保護することも同時に可能となっている。
【００２８】
［第四の回路構成例］
次に、図４は、本実施形態に係る２端子ＬＥＤ発光デバイスの第四の回路構成例を示す図である。本構成例に係る２端子ＬＥＤ発光デバイス１０Ｃにおいては、並列ＬＥＤ素子群の各々に一定電流を供給するための定電流回路２０（定電流手段）を備える。ここでは、符号２０Ａは第一定電流回路部であり、符号２０Ｂは第二定電流回路部である。第一定電流回路部２０Ａは、各並列ＬＥＤ素子群１０３における第一のＬＥＤ素子１０３１に供給される電流値を一定に保つために第二のＬＥＤ素子１０３２への電流制限を行う回路である。また、第二定電流回路部２０Ｂは、各並列ＬＥＤ素子群１０３における第二のＬＥＤ素子１０３２に供給される電流値を一定に保つために第一のＬＥＤ素子１０３１への電流制限を行う回路である。第一定電流回路部２０Ａ及び第二定電流回路部２０Ｂは、図示のように逆極性で並列に接続されている。また、符号Ｄ１、Ｄ２は、逆流防止用のダイオードである。定電流回路２０は、第一及び第二定電流回路部２０Ａ,２０Ｂ、とダイオー
ドＤ１，Ｄ２を含む。
【００２９】
第一定電流回路部２０Ａは、二つのトランジスタＴｒ１Ａ，Ｔｒ２Ａと、二つの抵抗Ｒ１Ａ，Ｒ２Ａを含んで構成されている。本構成例に係る２端子ＬＥＤ発光デバイス１０Ｃに交流電源から交流電流が供給され、例えば正の半サイクルで端子１０１から端子１０２へ向けて正の電流が流れる場合、ダイオードＤ１には順方向バイアスが掛かり、ダイオードＤ２には逆方向バイアスが掛かる。その結果、交流電流は第一定電流回路部２０Ａ側を流れるが、第二定電流回路部２０Ｂ側には流れない。
【００３０】
そのときに、トランジスタＴｒ１Ａのコレクタ電流が増加すると（すなわち、第一のＬＥＤ素子１０３１に供給される電流が増加すると）、トランジスタＴｒ１Ａのエミッタ側に接続されている抵抗Ｒ１Ａの電位降下が大きくなり、トランジスタＴｒ２Ａがオンする。これにより、トランジスタＴｒ１Ａのベース電流が減少し、結果としてトランジスタＴｒ１Ａのコレクタ電流が減少する。一方、トランジスタＴｒ１Ａのコレクタ電流が減少した場合には、上記とは逆の作用が起こることで、トランジスタＴｒ１Ａのコレクタ電流、すなわち第一のＬＥＤ素子１０３１に供給される電流は一定に保たれることになる。
【００３１】
一方、例えば負の半サイクルで端子１０２から端子１０１へ向けて正の電流が流れる場合、ダイオードＤ２には順方向バイアスが掛かり、ダイオードＤ１には逆方向バイアスが掛かるようになる。その結果、交流電流は第二定電流回路部２０Ｂ側を流れ、第一定電流
回路部２０Ａ側には流れない。ここで、第二定電流回路部２０Ｂは、第一定電流回路部２０Ａと同等の構成であり、二つのトランジスタＴｒ１Ｂ，Ｔｒ２Ｂと、二つの抵抗Ｒ１Ｂ，Ｒ２Ｂを含んで構成されている。これら第二定電流回路部２０ＢにおけるトランジスタＴｒ１Ｂ，Ｔｒ２Ｂ、抵抗Ｒ１Ｂ，Ｒ２Ｂは、第一定電流回路部２０ＡにおけるトランジスタＴｒ１Ａ，Ｔｒ２Ａ、抵抗Ｒ１Ａ，Ｒ２Ａに対応しており、同等の機能を有する電子部品である。
【００３２】
第二定電流回路部２０Ｂの作動状況を説明すると、端子１０２から端子１０１へ向けて正の電流が流れる半サイクルにおいてトランジスタＴｒ１Ｂのコレクタ電流が増加すると（すなわち、第二のＬＥＤ素子１０３２に供給される電流が増加すると）、トランジスタＴｒ１Ｂのエミッタ側に接続されている抵抗Ｒ１Ｂの電位降下が大きくなり、トランジスタＴｒ２Ｂがオンする。これにより、トランジスタＴｒ１Ｂのベース電流が減少し、結果としてトランジスタＴｒ１Ｂのコレクタ電流が減少する。一方、トランジスタＴｒ１Ｂのコレクタ電流が減少した場合には、上記とは逆の作用が起こることで、トランジスタＴｒ１Ｂのコレクタ電流、すなわち第二のＬＥＤ素子１０３２に供給される電流は一定に保たれることになる。
【００３３】
このようにして、本構成例に係る２端子ＬＥＤ発光デバイス１０Ｃは、並列ＬＥＤ素子群１０３の各々に一定電流を供給するための定電流回路２０を備えたので、第一及び第二のＬＥＤ素子１０３１，１０３２に破損や劣化等が起こったり、発光特性が悪化する虞がない。定電流回路２０は、第一及び第二定電流回路部２０Ａ,２０Ｂ、とダイオードＤ１
，Ｄ２を含む。
【００３４】
図５は、図４における定電流回路の変形例を説明するための図である。図５に示すように、図４に示した定電流回路２０に代えて、図５に示す定電流回路２０’を２端子ＬＥＤ発光デバイス１０Ｃに採用することで、各並列ＬＥＤ素子群１０３における第一及び第二のＬＥＤ素子１０３１，１０３２に供給される電流値を一定に保持するようにしても良い。図４及び図５において共通の電子部品については同一符号を付す。定電流回路２０’は、第一及び第二定電流回路部２０Ａ,２０Ｂ、とダイオードＤ１，Ｄ２を含む。
【００３５】
図５において、第一定電流回路部２０Ａと第二定電流回路部２０Ｂは、相互に逆極性に且つ直列に接続されている。また、互いに逆極性として直接接続された二つのダイオードＤ１，Ｄ２が、これら第一及び第二定電流回路部２０Ａ，２０Ｂに対して並列に接続されている。また、図示のように、第一定電流回路部２０Ａ及び第二定電流回路部２０Ｂ間に形成された端子と、ダイオードＤ１及びダイオードＤ２間に形成された端子とが、配線によって結ばれている。
【００３６】
上記構成による定電流回路２０’は、図４で説明した定電流回路２０と等価な回路である。すなわち、例えば正の半サイクルで端子１０１から端子１０２へ向けて正の電流が流れる場合、ダイオードＤ１には順方向バイアスが掛かり、ダイオードＤ２には逆方向バイアスが掛かる。その結果、この半サイクルにおける電流は第二定電流回路部２０Ｂをシャント（バイパス）して第一定電流回路部２０Ａを流れる。そして、この半サイクルにおいて、第一定電流回路部２０Ａが図４で説明したのと同様に作動することで、第一のＬＥＤ素子１０３１に供給される電流が一定に保たれるのである。
【００３７】
一方、例えば負の半サイクルで端子１０２から端子１０１へ向けて正の電流が流れる場合、ダイオードＤ２には順方向バイアスが掛かり、ダイオードＤ１には逆方向バイアスが掛かる。その結果、この半サイクルにおける電流は第一定電流回路部２０Ａをシャント（バイパス）して第二定電流回路部２０Ｂを流れる。そして、この半サイクルにおいては、第二定電流回路部２０Ｂが図４で説明したのと同様に作動することで、第二のＬＥＤ素子
１０３２に供給される電流が一定に保たれるのである。なお、図４及び図５において説明した定電流回路２０，２０’の代わりに、定電流ダイオード（CRD, Current Regulative Diode)等を採用することで、同様の作用効果を実現するようにしても良い。また、図４及び図５において、トランジスタは図示のようなバイポーラトランジスタであっても良いし、このバイポーラトランジスタを電界効果トランジスタ（Field effect transistor、FET）に置き換えても良い。ダイオードＤ１、Ｄ２は、バイポーラトランジスタに替えてＦＥＴを用いる際には省略できる場合がある。FETは発熱量が少なく、ＬＥＤ素子を並列接続
するのに好適である。
【００３８】
＜第二実施形態＞
次に、第二実施形態について説明する。ここでは、第一実施形態において説明した各発光デバイスを、その制御装置である調光装置Ｄｍに実装した場合の実施形態について例示的に詳しく説明する。図６は、本実施形態に係る調光装置（調色装置）の回路構成例を示す図である。図６において、調光装置Ｄｍには、上述した第一乃至第四回路構成例の何れの発光デバイスも好適に適用することができ、発光デバイスの備えるＬＥＤ素子の発光により得られる白色照明光の色度（色相、色温度）を調整する。ここでは、図１において説明した２端子ＬＥＤ発光デバイス１０（第一の回路構成例）を調光装置Ｄｍに実装する例を説明するが、これに代えて他の回路構成例に係る２端子ＬＥＤ発光デバイス（１０Ａ，１０Ｂ，１０Ｃ）を組み込むようにしても勿論構わない。
【００３９】
本図において、２端子ＬＥＤ発光デバイス１０の構成については既述のため、ここでの詳細な説明は割愛する。調光装置Ｄｍは、交流電源入力端子１、トライアック３０、トリガダイオード４０、時定数回路５０、ヒステリシス除去回路７０、保護回路８０等と有している。
【００４０】
交流電源入力端子１は、商用電源（交流１００Ｖ）からの電力を調光回路内に供給するための端子であり、商用電源に接続するためのプラグを含む。交流電源入力端子１の一方は、２端子ＬＥＤ発光デバイス１０の入力端子１０１に接続されている。
【００４１】
トライアック３０は、２端子ＬＥＤ発光デバイス１０の入力端子１０２に接続されており、各並列ＬＥＤ素子群１０３に対する交流１サイクル中の通電期間において、交流電源入力端子１のから入力された交流電流を通電する。トライアック３０は、半サイクルの或る時点でオン（点弧）すると、当該半サイクルが終了するまで端子１０２に対して正又は負の電流を供給し続ける。
【００４２】
トリガダイオード４０は、トライアック３０が点弧するためのトリガ信号をトライアック３０に供給する。時定数回路５０は、トリガダイオード４０がトライアック３０にトリガ信号を供給するタイミングを制御する。時定数回路は、直列接続されたダイオード５１，抵抗器５２，及び可変抵抗器５３と、直列接続されたダイオード６１，抵抗器６２，可変抵抗器６３と、キャパシタ（コンデンサ）５４とを有し、トリガダイオード４０に接続されている。可変抵抗器５３，６３には、これらの抵抗値を個別に調整するための操作部（つまみなど）が設けられる。
【００４３】
抵抗器５２，可変抵抗器５３及びキャパシタ５４は、交流の正の半サイクル（サイクル前半）においてトリガダイオード４０への印加電圧をチャージするＣＲ時定数回路を構成し、これらの抵抗値及び容量値で決まる時定数に従ってトリガダイオード４０をオンにする。ダイオード５１は、逆流防止用のダイオードである。一方、抵抗器６２，可変抵抗器６３及びキャパシタ５４は、交流の負の半サイクル（サイクル後半）においてトリガダイオード４０への印加電圧をチャージするＣＲ時定数回路を構成し、これらの抵抗値及び容量値で決まる時定数に従ってトリガダイオード４０をオンにする。
【００４４】
図７（Ａ）は、調光装置Ｄｍに係る調光回路に印加される商用電源波形を示し、図７（Ｂ）は、トリガダイオード４０に印加される電圧（キャパシタ５４に対する電荷のチャージの様子）を示す。図７（Ａ）に示すように、調光装置Ｄｍの調光回路には、サインカーブの交流電圧が印加される。正の半サイクルにおいて、電圧印加の開始と同時に、時定数回路５０のキャパシタ５４に対する正のチャージが開始され、キャパシタ５４にチャージされた電荷が所定量になる時間ｔ１で、トリガダイオード４０がトリガ信号をトライアック３０に供給し、トライアック３０が点弧し、２端子ＬＥＤ発光デバイス１０に対する正の電流供給を開始する。図６の構成例において、交流の正の半サイクルでは、２端子ＬＥＤ発光デバイス１０における端子１０１から端子１０２へ向けて正の電流が流れる。そのため、各並列ＬＥＤ素子群１０３における第一のＬＥＤ素子１０３１のみが点灯（発光）し、第二のＬＥＤ素子１０３２は消灯した状態に維持される。このような電流供給は半サイクルの終了まで継続される。一方、負の半サイクルでは、正の半サイクルと極性を反対にした同様の動作が行われ、時間ｔ２でトライアック３０が点弧し、負の電流が発光デバイス２０に供給される。この場合、２端子ＬＥＤ発光デバイス１０における端子１０２から端子１０１へ向けて正の電流が流れる。そのため、上記負の半サイクルにおいては、各並列ＬＥＤ素子群１０３における第二のＬＥＤ素子１０３２のみが点灯（発光）し、第一のＬＥＤ素子１０３１は消灯した状態に維持される。
【００４５】
このように、正負の各半サイクルで、時定数回路５０の時定数に従ったタイミングでトライアック３０が点弧し、２端子ＬＥＤ発光デバイス１０に対して駆動電流を供給する。図７（Ａ）の斜線部分が、正負の半サイクルで２端子ＬＥＤ発光デバイス１０に供給される電圧（電流）を示す。時定数は、可変抵抗器５３，６３の抵抗値によって変化する。すなわち、可変抵抗器５３の抵抗値が小さくなる程、時定数は小さくなり、トライアック３０が点弧するタイミングが早まる。このように、可変抵抗器５３，６３の抵抗値を変化させることで、各並列ＬＥＤ素子群１０３に含まれる第一及び第二のＬＥＤ素子１０３１，１０３２に対する半サイクル中の通電時間、すなわち電流値を可変にすることができる。可変抵抗器５３，６３の抵抗値は個別に操作可能である。よって、本実施形態に係る調光装置Ｄｍでは、正負の半サイクルにおける通電時間を個別に制御（調整）することができる。
【００４６】
ヒステリシス除去回路７０は、交流の正負の半サイクルの終了までにキャパシタ５４にチャージされた残留電荷を除去して、ヒステリシスを除去するための回路である。保護回路８０は、２端子ＬＥＤ発光デバイス１０及びトライアック３０に対して並列接続されており、その一端は２端子ＬＥＤ発光デバイス１０の端子１０１に接続され、一方は接地されている。保護回路８０は、ツェナーダイオード８１，８２を有しており、インパルスやサージが発生したときに降伏して２端子ＬＥＤ発光デバイス１０を保護する。
【００４７】
次に、調光装置Ｄｍの動作例（操作例）について説明する。最初に、可変抵抗器５３，６３の操作部を操作して、これらの各抵抗値を最大値に設定する。交流電点入力端子１のプラグを図示しない商用電源１００Ｖに接続する。すると、調光装置Ｄｍの調光回路には、交流電圧（交流電流）が供給される状態となる。
【００４８】
すると、２端子ＬＥＤ発光デバイス１０（負荷）には、図７（Ａ）の斜線で示す電流が流れる。これにより、第一及び第二のＬＥＤ素子１０３１，１０３２の各々は、各半サイクルの後半部分で間欠的に発光し、人間の目には暗く点灯したように感じる。具体的には、正の半サイクルにおける後半部分で第一のＬＥＤ素子１０３１が発光し、負の半サイクルにおける後半部分で第二のＬＥＤ素子１０３２が発光する。
【００４９】
ここで、可変抵抗器６３の操作部（例えば、可変抵抗器６３の操作用のダイヤルつまみ
（光量操作用つまみ））を操作して抵抗値を減少させると、トライアック３０の点弧タイミングが早まり、交流電流の負の半サイクルにおける平均電流値が増加し、人間の目にはやや明るく点灯したように感じる。さらに、可変抵抗器５３の操作部（例えば、可変抵抗器５３の操作用のダイヤルつまみ（色調操作用つまみ））を操作して抵抗値を減少させると、交流電流の正の半サイクルにおける平均電流値が増加し、人間の目にはさらに明るく点灯したように感じる。このとき、第一のＬＥＤ素子１０３２から照射される５０００Ｋの白色の発光が、発光デバイス１０の輝度（発光量）全体の主要な割合を占めるので、第二のＬＥＤ素子１０３２のみの点灯時よりも明るいだけでなく、色温度が上昇したように感じる。
【００５０】
以上説明したように、本実施形態に係る調光装置Ｄｍによれば、異なる色度（色相、色温度）の白色光を発光する第一及び第二のＬＥＤ素子１０３１，１０３２を、交流の各半サイクルに対応する可変抵抗器５３，６３で個別に制御できるので、２端子ＬＥＤ発光デバイス１０から発せられる光の色度を自在に調整することができる。
【００５１】
＜第三実施形態＞
次に、第三実施形態について説明する。ここでは、第一実施形態において説明した各発光デバイスをＬＥＤ照明システムＬＳに実装する形態について例示的に詳しく説明する。本実施形態におけるＬＥＤ照明システムＬＳには、上述した第一乃至第四回路構成例の何れの発光デバイスも好適に適用することができる。ここでは、図１に示した２端子ＬＥＤ発光デバイス１０（第一の回路構成例）をＬＥＤ照明システムＬＳに実装する例を説明するが、これに代えて他の回路構成例に係る発光デバイス（１０Ａ，１０Ｂ，１０Ｃ）を組み込むようにしても勿論構わない。
【００５２】
次に、本実施形態に係るＬＥＤ照明システムＬＳについて説明する。本ＬＥＤ照明システムＬＳは、調光装置Ｄｍに電源からの二本一対の給電線が接続され、調光装置Ｄｍと２端子ＬＥＤ発光デバイス１０とが二本一対の給電線（駆動電流供給線）で接続される配線構造を有する。本実施形態に係る照明システムＬＳは、調光装置Ｄｍの設置位置に電源（商用電源）から一対の引き込み線が引き込まれており、かつ、調光装置Ｄｍの設置位置と２端子ＬＥＤ発光デバイス１０の設置配置との間に、二本一対の給電線が予め敷設されている建築物に好適に適用される。このような場合には、調光装置Ｄｍに搭載した制御回路で調整した２端子ＬＥＤ発光デバイス１０に供給することができる。
【００５３】
図８は、第三実施形態におけるＬＥＤ照明システムの回路構成の概略を示す図であり、図９は、図８に示した制御回路の構成例を示す図である。図８には、二点鎖線で表された仮想線４０３を境界として電気配線設置空間（仮想線４０３の上側）と、電気配線が接続される調光装置Ｄｍ（調光ボックス）及び２端子ＬＥＤ発光デバイス１０が配置されるＬＥＤ照明システムＬＳの設置空間（仮想線４０３の下側）とが図示されている。
【００５４】
電気配線設置空間は、通常、壁内や天井裏に設けられ、壁や天井によってＬＥＤ照明システムＬＳの設置空間と隔絶される。図８に示す例では、電気配線設置空間には、商用電源（例えば、交流１００Ｖ，５０Ｈｚ）が供給される一対の商用電源母線４００と、一対の照明装置用給電線４０１（４０１ａ，４０１ｂ）と、商用電源母線４００から引き出された一対の照明装置点滅用の引き込み線４０２とが配線されている。
【００５５】
引き込み線４０２には、調光装置Ｄｍが有する入力側の一対の端子Ｔ１，Ｔ２と接続される。調光装置Ｄｍは、出力側の一対の端子Ｔ３，Ｔ４を有しており、端子Ｔ３，Ｔ４は、照明装置用給電線４０１（４０１ａ，４１０ｂ）と接続される。一方、照明器装置給電線４０１には、一対の端子１０１，１０２を有する２端子ＬＥＤ発光デバイス１０が接続される。２端子ＬＥＤ発光デバイス１０は、第一及び二実施形態で説明したＬＥＤ発光デ
バイス１０と同様である。
【００５６】
調光装置Ｄｍは、端子Ｔ１，Ｔ２から供給される商用電源からの交流電圧を受電する。調光装置Ｄｍは、全波整流形の直流電源供給回路（以下、「電源回路」と略称する）４１２を有する。調光装置Ｄｍは、この電源回路４１２により、負荷の導通状態に関わらず安定した直流電源を提供することができる。電源回路４１２は、直流電源供給線４１４，４１５を介して制御回路４１３に接続されている。商用交流電源が実効値１００Ｖである場合には、電源回路４１２は、給電線４１４，４１５を介し、無負荷時に略１４０Ｖの直流電圧を供給する直流電源となる。
【００５７】
図９に示すように、制御回路４１３は、操作部４１６に接続された操作量検出部４１７と、制御装置４２０と、駆動装置４３０とを備えている。駆動装置４３０は、駆動論理回路（制御回路）４３１と、Ｈ型ブリッジ回路である駆動回路４３２とを含む。駆動回路４３２の出力端子は、端子Ｔ３，Ｔ４に接続され、照明器装置給電線４０１を介して２端子ＬＥＤ発光デバイス１０に接続されている。２端子ＬＥＤ発光デバイス１０については、第一実施形態において説明した通りであるが、発光波長域が相互に異なる第一のＬＥＤ素子１０３１と第二のＬＥＤ素子１０３２とが、その極性を逆にして（逆極性で）相互に並列接続されてなる並列ＬＥＤ素子群１０３が複数個直列に接続されることで構成されている。
【００５８】
操作部４１６は、２端子ＬＥＤ発光デバイス１０が発する光の輝度（発光量）の調整（調光）と色度（色相、色温度）の調整（調色）を実施するための操作デバイスである。より具体的には、操作部４１６は、調光用の操作ダイヤル４１６Ａと、調色用の操作ダイヤル４１６Ｂとを含んでいる。ユーザが各ダイヤル４１６Ａ，４１６Ｂを回転させることにより、２端子ＬＥＤ発光デバイス１０の輝度（発光量）及び色度（色相、色温度）を調整することができる。
【００５９】
操作量検出部４１７は、各操作ダイヤル４１６Ａ，４１６Ｂの操作量であるダイヤルの回転量（回転角度）に応じた信号を出力する信号生成器である。本実施形態では、操作量検出部４１７は、操作ダイヤル４１６Ａの回転量（回転角度）に応じて抵抗値が変動する可変抵抗器４１７Ａと、操作ダイヤル４１６Ｂの回転量（回転角度）に応じて抵抗値が変動する可変抵抗器４１７Ｂとを含んでいる。操作量検出部４１７は、配線４０５を介して電源回路４１２と接続されている。操作量検出部４１７には、電源回路４１２で商用交流電源から生成された所定の直流電圧（例えば、無負荷時で最大５Ｖ）が配線４０５を介して印加される。
【００６０】
操作量検出部４１７と制御装置４２０とを結ぶ配線（信号線）４１８には、可変抵抗器４１７Ａの抵抗値に応じた電圧（例えば、最大５Ｖ）が発生する。一方、操作量検出部４１７と制御装置４２０とを結ぶ配線（信号線）４１９には、可変抵抗器４１７Ｂの抵抗値に応じた電圧（例えば、最大５Ｖ）が発生する。このように操作量検出部４１７は、操作ダイヤル４１６Ａ，４１６Ｂの各操作量に応じた信号電圧を発生する。
【００６１】
なお、操作ダイヤル４１６Ａ，４１６Ｂに代えて、スライドバーが適用可能である。スライドバーが適用される場合、回転量の代わりの移動量に応じた電圧（信号）が操作量検出部４１７で生成される。また、操作量検出部４１７は、可変抵抗値に応じた電圧を制御信号として出力するようにしている。これに代えて、操作ダイヤル４１６Ａ，４１６Ｂの回転量（回転角度）を検出するロータリーエンコーダが設けられ、ロータリーエンコーダの回転量を示すパルスが制御装置４２０に入力されるようにしても良い。この場合、後述するような、電圧をディジタル値に変換するアナログ／ディジタル変換器の設置が省略可能である。
【００６２】
制御装置４２０は、アナログ／ディジタル変換器（Ａ／Ｄ変換器）、マイクロコンピュータ（マイコン：ＭＰ）、レジスタ、タイマ、カウンタ等を組み合わせた制御回路である。マイコンは、例えば、マスター・クロックが図示しない水晶発振子からの動作周波数（例えば４ＭＨｚ）で動作するメモリ内蔵型マイクロプロセッサを適用することができる。但し、これに限定されるものではない。また、マイコンは、図示しない内蔵ＲＯＭ（Read
Only Memory）に記録された動作プログラムを図示しないＲＡＭ（Random Access Memory）にロードし、プログラムに従った処理を実行する。
【００６３】
制御装置４２０のＡ／Ｄ変換器は、信号線４１８に生じた電圧のディジタル値を出力し、そのディジタル値は図示しないレジスタにセットされる。また、Ａ／Ｄ変換器は、信号線４１９に生じた電圧のディジタル値を出力し、そのディジタル値は図示しないレジスタにセットされる。また、制御装置４２０が備えるタイマ及びカウンタは、所望の自励発振周波数（例えば、１ＭＨｚ）で発振するセラミック発振子４２１で駆動されており、制御装置４２０と駆動論理回路４３１とを結ぶ配線４２４，４２５から相補的パルスを、予め設定されたタイミングで自励出力する。この相補的パルスは、例えば、繰り返し周波数が所定の周波数となるように予め設定されている。
【００６４】
制御装置４２０のマイコンは、各レジスタにセットされたディジタル値（操作ダイヤル４１６Ａ，４１６Ｂの操作量）に応じて制御パルス（制御信号）を生成する制御パルス生成処理を行い、生成したパルスを駆動論理回路４３１に供給（出力）する。なお、マイコンが生成したパルス（制御信号）は、配線４２４，４２５を介して駆動論理回路４３１に供給される。
【００６５】
駆動論理回路４３１は、配線４２４，４２５からのパルス（制御信号）供給を受けて、当該制御信号に応じたトランジスタ（スイッチング素子）ＴＲ１〜ＴＲ４のオン／オフ動作（スイッチング動作）を制御する。すなわち、制御回路４３１は、配線４２４及び４２５からのパルス入力がない場合には、トランジスタＴＲ１〜ＴＲ４をオフにする。一方、制御回路４３１は、配線４２４からの正のパルスが入力されている間、トランジスタＴＲ１及びＴＲ４をオンにする一方で、トランジスタＴＲ２及びＴＲ３をオフにする。これによって、電源回路４１２から配線４１４を通じて供給される直流電流がトランジスタＴＲ１を通って給電線４０１ａに流れ、第一のＬＥＤ素子１０３１の点灯に消費される。その後、電流は給電線４０１ｂ、トランジスタＴＲ４を通って配線４１５へ流れる（接地される）。
【００６６】
これに対し、駆動論理回路４３１は、配線４２５からの負のパルスが入力されている間、トランジスタＴＲ２及びＴＲ３をオンにする一方で、トランジスタＴＲ１及びＴＲ４をオフにする。これによって、電源回路４１２から配線４１４を通じて供給される直流電流がトランジスタＴＲ２を通って配線４０１ｂに流れ、第二のＬＥＤ素子１０３２の点灯に消費される。その後、電流は配線４０１ａ，トランジスタＴＲ３を通って配線４１５に流れる（接地される）。
【００６７】
従って、２端子ＬＥＤ発光デバイス１０には、制御装置４２０から出力されるパルス（制御信号）と相似形の、正の駆動電流と負の駆動電流とが交互に供給される。言い換えれば、第一のＬＥＤ素子１０３１，第二のＬＥＤ素子１０３２に対し、極性の異なる交流電流が駆動電流として供給される。
【００６８】
図１０は、輝度調整を行う際に２端子ＬＥＤ発光デバイス１０に供給される駆動電流の波形説明図である。本実施形態では、駆動装置４３０は、１サイクル（周期Ｔ０）において、正の制御信号を供給する期間Ｔ１に正のパルスを出力し、負の制御信号を供給する期
間Ｔ２に負のパルスを出力する。調光用の操作ダイヤル４１６Ａが操作されると、制御装置４２０におけるマイコンはパルス幅変調（ＰＷＭ）制御を行う事で、デューティ比を調整する。
【００６９】
ここで、２端子ＬＥＤ発光デバイス１０における第一のＬＥＤ素子１０３１，第二のＬＥＤ素子１０３２に対して供給される平均電流は、パルスのオン時間に依存する。すなわち、正負のパルスのオン時間が大きい程、１サイクルにおいて各ＬＥＤ素子１０３１，１０３２に供給される駆動電流の平均電流値が上昇する。逆に、デューティ比が小さくなることでパルスのオン時間が小さくなる程、２端子ＬＥＤ発光デバイス１０の各ＬＥＤ素子１０３１，ＬＥＤ素子１０３２に供給される平均電流値は小さくなる。
【００７０】
図１０（ａ）は、デューティ比が１のときのパルスを示す。この場合には、正負のパルス供給期間Ｔ１，Ｔ２のそれぞれにおいて一つのパルスが出力される。また、図１０（ｂ）は、マイコンのＰＷＭ制御により期間Ｔ１，Ｔ２におけるデューティ比を、図１０（ａ）に示す状態に比べて下げた状態を示す。デューティ比の変更によって、複数の正負のパルスが供給される状態となる。さらに、図１０（ｃ）は、図１０（ｂ）に示す状態より更にデューティ比を下げた場合の状態を示す。この場合、正負の各パルスにおけるパルス幅ｔ１，ｔ２は図１０（ｂ）の状態に比べて更に小さくなる。
【００７１】
図１０（ａ）〜（ｃ）に示す例は、順次、調光用の操作ダイヤル４１６Ａを２端子ＬＥＤ発光デバイス１０の輝度（発光量）を低く（少なく）するように操作した様子を示す。このように、操作ダイヤル４１６Ａが操作される場合には、制御装置４２０のマイコンがＰＷＭ制御によりデューティ比を下げることによって、パルスのオン時間ｔ１，ｔ２が短くなる。その結果、２端子ＬＥＤ発光デバイス１０の各並列ＬＥＤ素子群１０３に供給される平均電流が低下し、各並列ＬＥＤ素子群１０３が出力する出力光の輝度が低くなる（発光量が少なくなる）。但し、ここでは、１サイクル（正の半サイクル期間Ｔ１と負の半サイクル期間Ｔ２）における、パルスのオン時間ｔ１，ｔ２の比は変わらない。これにより、２端子ＬＥＤ発光デバイス１０の色度（色相、色温度）を変えることなく出力光の輝度（発光量）を増減することができる。
【００７２】
図１１は、色度調整を行う際に２端子ＬＥＤ発光デバイス１０に供給される駆動電流の波形説明図である。操作ダイヤル４１６Ｂが操作された場合における、パルスの状態を図１１（ａ）〜（ｃ）に示す。操作ダイヤル４１６Ｂが操作された場合、制御装置４２０のマイコンは、そのときのパルス幅を変更することなく、１サイクル（周期Ｔ０）における正負のパルス数を変更する。図１１（ａ）において、正負の半サイクルにおけるパルス幅ｔ１，ｔ２は同じであり、正負の半サイクルにおけるパルスのオン時間の比は４：３である。
【００７３】
これに対し、図１１（ｂ）では、正負の半サイクルにおけるパルスのオン時間の比が３：４に変更されている。更に、図１１（ｃ）では、正負の半サイクルにおけるパルスのオン時間の比が２：５に変更されている。このような正負のサイクルにおけるパルスのオン時間の比を変更することによって、１サイクルにおける第一のＬＥＤ素子１０３１及び第二のＬＥＤ素子１０３２の点灯時間の比が変動する。これによって、第一のＬＥＤ素子１０３１及び第二のＬＥＤ素子１０３２のそれぞれ点灯により発せられる合成光の色度（色相、色温度）が変更される。
【００７４】
上述した正負のパルスを出力するための繰り返し周波数Ｔ０（自励発振周波数）は、人の目の感度や、スイッチング損失の防止、ノイズ発生の観点から、例えば、３０Ｈｚ〜５０ｋＨｚの間で定め得る。好ましくは、５０Ｈｚ〜４００Ｈｚである。さらに好ましくは、５０または６０Ｈｚ〜１２０Ｈｚである。自励発振周波数は、商用電源周波数から独立
して定めうるが、商用電源周波数と同じ周波数を選択することを妨げない。
【００７５】
なお、図９に示したように、本実施形態における制御回路４１３には、積分回路４５０及び４４０が設けられている。積分回路４５０は、第一のＬＥＤ素子１０３１を駆動するための正の電流の平均値に比例した電圧を制御装置４２０にフィードバックし、積分回路４４０は第二のＬＥＤ素子１０３２を駆動するための負の電流の平均値に比例した電圧を制御装置４２０にフィードバックする。制御装置４２０は、積分回路４４０，４５０のフィードバック電圧をＡ／Ｄ変換器を用いて観測し、制御信号（パルス）の生成に利用する。
【００７６】
以下、調光装置Ｄｍの動作例について説明する。主電源スイッチ４１１（図８を参照）が閉じられると、電源回路４１２による整流及び電圧変換動作が行われ、制御回路４１３に直流電源が供給される。制御装置４２０のマイコンは、公知の方法で初期化動作を開始し、図示しない内蔵ＲＯＭ（Read Only Memory）に記録された動作プログラムを図示しないＲＡＭ（Random Access Memory）にロードし、プログラムに従った処理を行う。
【００７７】
２端子ＬＥＤ発光デバイス１０の輝度を調整する場合には、例えば以下のような操作及び調光装置４１０の動作が行われる。例えば、利用者（ユーザ）が操作ダイヤル（操作ツマミ）４１６Ａを例えば右一杯にまわし、照明の輝度（発光量）を最大に設定すると、信号線４１８には最大５.０ボルトの直流電圧が発生する。制御装置４２０は、信号線４１
８に生じた電圧を内蔵のＡ／Ｄ変換器でディジタル信号に変換して読み取り、駆動回路４３０の駆動論理回路４３１に対し、信号線４２４，４２５を介して制御信号を与える。駆動論理回路４３１は、制御信号に従って駆動回路（Ｈ型ブリッジ）４３２を駆動させる。その際、駆動回路４３２は、予め設定された自励発振周波数である５０Ｈｚで駆動される。
【００７８】
このときの制御信号波形は、図１０（ａ）に示す通りであり、正のパルス（制御信号）のオン時間である時間ｔ１の間、正の電流が給電線４０１ａを流れて２端子ＬＥＤ発光デバイス１０における第一のＬＥＤ素子１０３１を点灯させる。一方、負のパルス（制御信号）のオン時間である時間ｔ２の間、負の電流が給電線４０１ｂを流れて２端子ＬＥＤ発光デバイス１０における第二のＬＥＤ素子１０３２を点灯させる。そして、給電線４０１には、略５０Ｈｚの交流電流が通電するため、２端子ＬＥＤ発光デバイス１０における第一のＬＥＤ素子１０３１と第二のＬＥＤ素子１０３２が交互に点灯する。
【００７９】
ここで、時間ｔ１に流れる電流（個別電流）と、時間ｔ２に流れる電流（個別電流）との比が２端子ＬＥＤ発光デバイス１０における第一のＬＥＤ素子１０３１と第二のＬＥＤ素子１０３２により発せられる合成光の色度を支配することになる。図１０（ａ）に示す状態では、色温度の高い第一のＬＥＤ素子１０３１の点灯時間が第二のＬＥＤ素子１０３２の点灯時間より長いため、２端子ＬＥＤ発光デバイス１０の発光色は、やや青みがかった白色を呈する。
【００８０】
一方、利用者が操作ダイヤル（調光ツマミ）４１６Ａを左方向にまわし、照明の輝度が中央値となるように設定することで、信号線４１８には約２．５ボルトの直流電圧が発生する。この場合、制御装置４２０のマイコンは、内蔵のＡ／Ｄ変換器で電圧をディジタル信号に変換して読み取り、駆動装置４３０の駆動を制御して、ＬＥＤ照明装置２０に対する交流電流を供給する。このときのパルス波形は、図１０（ｂ）に示す状態となる。すなわち、期間Ｔ１における正のパルスのオン時間と期間Ｔ２における負のパルスのオン時間との比は変わらないが、デューティ比が低下しているため、最大輝度時における一つのパルスが複数のパルス群となる。ここで、正のパルスのパルス幅と負のパルスのパルス幅は同じである。これによって、最大輝度時よりも平均電流が小さくなるので、２端子ＬＥＤ
発光デバイス１０における第一のＬＥＤ素子１０３１と第二のＬＥＤ素子１０３２からの出力光の輝度は低下する。
【００８１】
その後、利用者が操作ダイヤル（調光ツマミ）４１６Ａをさらに左方向にまわし、照明の輝度を最小値に設定する。すると、信号線４１８は約０．５ボルトの直流電圧が発生する。この場合、制御装置４２０のマイコンは、電圧値をＡ／Ｄ変換器で変換して読み取り、電圧値に応じた駆動装置４３０の制御を行う。すなわち、制御装置４２０は、図１０（ｃ）に示すように、期間Ｔ１及びＴ２における、正負のパルスのデューティ比をさらに下げる。これによって、期間Ｔ１における正のパルスのオン時間と期間Ｔ２における負のパルスのオン時間との比は変わらず、かつ各パルスのパルス幅が更に小さくなる。これにより、中央輝度時に比べて平均電流が更に小さくなるので、２端子ＬＥＤ発光デバイス１０における第一のＬＥＤ素子１０３１と第二のＬＥＤ素子１０３２からの出力光は、共に最も暗い輝度となる。
【００８２】
次に、２端子ＬＥＤ発光デバイス１０の色度（色相、色温度）を調整する場合における利用者（ユーザ）の操作及び調光装置Ｄｍの動作例について説明する。図１０（ｂ）に示す電流波形は、第一のＬＥＤ素子１０３１に対する平均電流が第二のＬＥＤ素子１０３２の平均電流が大きいため、やや青みがかった白色を呈することは先に述べた通りである。ここでは、図１０（ｂ）に示す電流波形が２端子ＬＥＤ発光デバイス１０に供給されている状態から、利用者がケルビン温度の低いやや赤みがかった白色への変更を意図した場合について説明する。その場合、利用者は操作ダイヤル（調色ツマミ）４１６Ｂを左に(半
時計方向に)回転させる。そうすると、信号線４１９に生じている直流電圧（例えば約４
ボルト）が、例えば３.０ボルト程度に低下する。
【００８３】
制御装置４２０のマイコンは、Ａ／Ｄ変換器で変換された信号線４１９の直流電圧のディジタル値を読み取り、駆動装置４３０を制御するパルス波形を変更する。例えば、制御装置４２０のマイコンは、駆動装置４３０の駆動論理回路４３１に供給されるパルス波形を、図１０（ｂ）に示す状態から図１１（ａ）に示す状態に変化させる。すなわち、マイコンは、図１０（ｂ）の状態において、５：２であった正の電流（パルス）と負の電流（パルス）におけるオン時間の比を、図１１（ａ）に示すように４：３に変更する。これによって、第一のＬＥＤ素子１０３１に供給される平均電流が減少し、第二のＬＥＤ素子１０３２に供給される平均電流が増加する。この結果、２端子ＬＥＤ発光デバイス１０の発光色、すなわち色温度はやや低下して赤みがかった白色を呈する。その際、正負のサイクルにおけるパルスのオン時間の比は変化するが、正負のサイクルの各々におけるパルスの合計値（平均電流の合計値）は変化しないので、２端子ＬＥＤ発光デバイス１０の輝度は変化しない。
【００８４】
その後、利用者は、色温度の最も低い赤みがかった白色への変更を意図して、操作ダイヤル（色度ツマミ）４１６Ｂを左に(半時計方向に)限界まで回転させる。すると、約３．０ボルトだった信号線４１９の直流電圧は１.０ボルト程度に低下する。そして、制御装
置４２０のマイコンは、ディジタル変換された信号線４１９の直流電圧を検出すると、駆動論理回路２２０を介してフルブリッジドライバ２５０を駆動する制御信号（パルス）を変更する。すなわち、マイコンは、給電線４０１ａを流れる電流波形が図１１（ａ）から図１１（ｂ）を経て図１１（ｃ）に変化するように、駆動装置４３０に制御信号を与える。これによって、第一のＬＥＤ素子１０３１の平均電流がさらに減少する一方で、第二のＬＥＤ素子１０３２の平均電流がさらに増加する。この結果、２端子ＬＥＤ発光デバイス１０の色温度は更に低下して強い赤みがかった白色を呈する。なお、このときも２端子ＬＥＤ発光デバイス１０の全体輝度は変化しない。
【００８５】
以上説明したように、本実施形態に係るＬＥＤ照明システムＬＳによれば、商用電源の
ような交流電源からの交流を直流に変換し、その直流から自励発振周波数による所望の周波数の交流（周期Ｔ０毎に供給される正負の電流）を生成し、２端子ＬＥＤ発光デバイス１０における第一のＬＥＤ素子１０３１及び第二のＬＥＤ素子１０３２の夫々に駆動電流として供給する。これによって、調光装置Ｄｍの設計の自由度を高めることができる。また、本実施形態に係るＬＥＤ照明システムＬＳによれば、２端子ＬＥＤ発光デバイス１０から出力される合成光の色度（色相、色温度）を変えることなく輝度（明度）を調整することができ、また、輝度（明度）を変えることなく色度（色相、色温度）を調整することが可能である。
【００８６】
以上、本発明の好適な実施形態を説明したが、本発明の本旨を逸脱しない範囲内において上記の実施形態には種々の変更を加え得る。例えば、上記各実施形態の各図に示したトランジスタはバイポーラトランジスタであっても良いし、電界効果トランジスタ（Field effect transistor、FET）に置き換えても良い。また、本発明に係る２端子ＬＥＤ発光デバイス、調光装置、ＬＥＤ照明システム（装置）は各実施形態に限られず、可能な限りこれらの組み合わせを含むことができる。
【符号の説明】
【００８７】
１・・・交流電源入力端子
１０，１０Ａ，１０Ｂ，１０Ｃ・・・発光デバイス
１０１，１０２・・・端子
１０３，１０３Ａ・・・並列ＬＥＤ素子群
１０３１・・・第一のＬＥＤ素子
１０３２・・・第二のＬＥＤ素子
１０４・・・保護回路
２０・・・定電流回路
２０Ａ・・・第一定電流回路部
２０Ｂ・・・第二定電流回路部
３０・・・トライアック
４０・・・トリガダイオード
５０・・・時定数回路
７０・・・ヒステリシス除去回路
【図１】
2012138428.tif 000003
【図２】
2012138428.tif 000004
【図３】
2012138428.tif 000005
【図４】
2012138428.tif 000006
【図５】
2012138428.tif 000007
【図６】
2012138428.tif 000008
【図７】
2012138428.tif 000009
【図８】
2012138428.tif 000010
【図９】
2012138428.tif 000011
【図１０】
2012138428.tif 000012
【図１１】
2012138428.tif 000013